(57)【要約】【課題】球抜機構によって排出されずに整流器内に残留する遊技球を簡便に取り除く手段を備えるパチンコ機を提供する。【解決手段】整流器１５の上部を発射装置１４の前方で軸支して、整流器１５を通常位置ｑから前上方に回動可能とする。また、これとともに、遊技球ｘの残留する残球滞留部２７から上方に向けて遊技球排出用の残球排出誘導路２９を形成し、整流器１５を通常位置ｑから前上方に回動させて残球排出誘導路２９を残球滞留部２７から下方に傾斜させることによって残球滞留部２７の遊技球ｘが残球排出誘導路２９を通って排出されるようにした。【選択図】図１９
2007275493.tif 000002
【特許請求の範囲】
【請求項１】
遊技盤が取り付けられる内枠と、
発射球貯留皿を前面に備え、内枠の前面側に片開き可能に枢支される前扉と、
遊技球を打圧発射する発射鎚を備え、内枠の前面下部に配設される発射装置と、
発射装置の前方に配置されて発射球貯留皿から発射装置へ遊技球を順次送出する整流器と
を備えるパチンコ機において、
整流器は、発射球貯留皿から遊技球を取り入れる球取込口と、発射装置へ遊技球を送出する球送出口とを備えるケース体に、遊技球を一個ずつ球送出口に送出する球送部材を配設してなり、ケース体の上部を軸支されて、発射装置の前方に位置して発射装置の打圧発射位置に球送出口を臨ませる通常位置から前上方に回動可能なものであり、
ケース体の内部には、遊技球の残留する残球滞留部から上方に形成されてケース体の背面に形成される残球排出口と連通する残球排出誘導路が形成されており、
整流器を通常位置から前上方に回動させて残球排出誘導路を残球排出口側へ下り傾斜させることによって残球滞留部の遊技球を残球排出口から排出可能となることを特徴とするパチンコ機。
【請求項２】
整流器の下方に余剰の遊技球を貯留する余剰球貯留皿が配設されており、整流器を通常位置から前上方に回動させた時に残球排出口が余剰球貯留皿の上方に位置し、残球排出口から排出される遊技球が余剰球貯留皿に落下することを特徴とする請求項１記載のパチンコ機。
【発明の詳細な説明】
【技術分野】
【０００１】
本発明は、発射球貯留皿から発射装置へ遊技球を順次送出する整流器を備えるパチンコ機に関する。
【背景技術】
【０００２】
一般的なパチンコ機は、遊技島設備に固定される木製の外枠と、この外枠にヒンジ部材を介して開閉可能に取り付けられる前枠とを備えている。この前枠は、遊技盤が取り付けられる内枠を主体とする。内枠の前面側には、発射用の遊技球を貯留する発射球貯留皿を前面に備える前枠が片開き可能に取り付けられている。
【０００３】
こうしたパチンコ機にあって、内枠の前面下部に遊技球を打圧発射する発射鎚を備える発射装置を配設し、さらに、発射装置の前方に、発射球貯留皿から発射装置へ遊技球を順次送出する整流器を配設する構成が提案されている（例えば特許文献１）。かかるパチンコ機では、発射装置や整流器は前扉によって通常は前方から覆われており、発射装置や整流器のメンテナンスをする場合は、前扉を開放して発射装置や整流器を露出させる。また、かかる構成では、整流器が、発射装置の前方に位置する通常位置から前上方に回動可能に配設されており、発射装置のメンテナンスの際に整流器を前上方に回動させて発射装置の前面を露出させることによって作業を簡単に行い得るようになっている。
【０００４】
【特許文献１】特開２００５−１５２２４７号公報（第８，９頁  段落番号００６３〜００６８、第８図）
【発明の開示】
【発明が解決しようとする課題】
【０００５】
ところで、一般的なパチンコ機では、整流器は、球取込口や球送出口を備えるケース体に遊技球送出用の球送部材を配設した構成となっており、ケース体内部には送出前の遊技球がある程度貯留される。また、かかるパチンコ機では、発射用の遊技球を排出するための球抜機構が設けられており、機体前面に設けられた球抜操作部材を操作して球抜機構を作動させると、発射球貯留皿やケース体内部に貯留される遊技球が下方の余剰球貯留皿等に排出されるようになっている。
【０００６】
しかしながら、かかるパチンコ機の多くでは、球抜機構を作動させてもケース体内部の遊技球が完全には排出されず、球送部材の周辺などに遊技球が残留するようになっている。このようにケース体内部に残留する遊技球は、整流器や発射装置等のメンテナンスの際に作業の邪魔となるため取り除くことが望まれていたが、従来のパチンコ機にはかかる遊技球を簡便に排出する手段がなく、作業者は煩わしい思いをしながら作業を行わなくてはならなかった。
【０００７】
また、整流器や発射装置等のメンテナンスを行う時には、少なくとも球抜機構を作動させてケース体から可能な限り遊技球を排出しておく必要があるが、前扉を開放する前に球抜機構を作動させると、ケース体内のみならず発射球貯留皿の遊技球も排出されるため排出に時間をとられる。一方、前扉を開放してから球抜機構を作動させる場合には、球抜操作部材以外のリンク機構等を手で動かして球抜機構を作動させなければならないため、煩雑な作業が発生するという問題がある。
【０００８】
本発明は、かかる問題を解決し得るパチンコ機の提供を目的とする。
【課題を解決するための手段】
【０００９】
本発明は、遊技盤が取り付けられる内枠と、発射球貯留皿を前面に備え、内枠の前面側に片開き可能に枢支される前扉と、遊技球を打圧発射する発射鎚を備え、内枠の前面下部に配設される発射装置と、発射装置の前方に配置されて発射球貯留皿から発射装置へ遊技球を順次送出する整流器とを備えるパチンコ機において、整流器は、発射球貯留皿から遊技球を取り入れる球取込口と、発射装置へ遊技球を送出する球送出口とを備えるケース体に、遊技球を一個ずつ球送出口に送出する球送部材を配設してなり、ケース体の上部を軸支されて、発射装置の前方に位置して発射装置の打圧発射位置に球送出口を臨ませる通常位置から前上方に回動可能なものであり、ケース体の内部には、遊技球の残留する残球滞留部から上方に形成されてケース体の背面に形成される残球排出口と連通する残球排出誘導路が形成されており、整流器を通常位置から前上方に回動させて残球排出誘導路を残球排出口側へ下り傾斜させることによって残球滞留部の遊技球を残球排出口から排出可能となることを特徴とするパチンコ機である。
【００１０】
ここで、本発明に係る「前扉」とは、内枠の前面側に枢支されるものであって、その前面側に少なくとも発射球貯留皿が配設されたものを指す。また、整流器の「上部」や「背面」とは、通常位置における整流器の「上部」や「背面」を指す。また、「残留する遊技球（以下、残球と略す。）」とは、球抜機構が作動しても排出されずにケース体内部に残留する遊技球を指し、「残球滞留部」とは当該残球がケース体の内部に残留する部分を指す。例えば、実施例では球送部材の直上位置が残球滞留部に該当する。
【００１１】
かかる構成では、整流器を通常位置から前上方に回動していくと、該回動に伴って残球排出誘導路の傾斜角度が変化することとなる。このため、整流器の通常位置では残球排出誘導路が残球滞留部側に下っているが、整流器を通常位置から大きく（例えば１２０°）回動させれば、残球排出誘導路を残球排出口側に下り傾斜させることができる。したがって、本発明では、整流器が通常位置にある状態では残球は残球排出誘導路に流入せず、整流器を作動させればケース体内の遊技球が球送出口から発射装置に送出されることとなり、一方、整流器が通常位置から大きく回動した状態では、残球が残球排出口へ流下して残球排出口からケース体外に排出されることとなる。
【００１２】
また、本発明によれば、整流器を通常位置から前上方に回動することによって、既存の球抜機構を作動させることなくケース体内部から遊技球を排出できる。かかる整流器の回動操作は、上述したように発射装置等のメンテナンス時に必要な操作であるから、作業者はメンテナンスの際に、球抜機構を作動させずに効率よく作業をできる。
【００１３】
残球排出口から排出される残球はそれほど多量ではないため手で直接受け止めることもできるが、整流器の下方に余剰の遊技球を貯留する余剰球貯留皿が配設される構成にあっては、残球排出口から排出される遊技球が余剰球貯留皿に落下するようにした構成が提案される。かかる構成によれば、残球排出口から落下した遊技球が余剰球貯留皿に貯留されるため、残球を手で受け止める手間を省くことができる。なお、「余剰球貯留皿」とは、発射球貯留皿の下方に配設されて、発射球貯留皿に入りきらない余剰の遊技球等を受け入れるものを指す。
【発明の効果】
【００１４】
以上に述べたように、本発明は、ケース体の内部に、残球滞留部から上方に形成されてケース体の背面に形成される残球排出口と連通する残球排出誘導路を配設し、整流器を通常位置から前上方に回動させて残球排出誘導路を残球排出口側へ下り傾斜させることによって残球滞留部の遊技球を残球排出口から排出可能となるようにしたパチンコ機であるから、整流器のメンテナンスを行う際に、作業者は整流器を前上方に大きく回動させるだけでケース体内の残球を簡単に取り除くことができ、作業者は、ケース体内の残球に煩わされることなく作業を行うことができる。
【００１５】
また、上述のように、通常位置から前上方に回動可能な整流器は既知のものであり、本発明は、かかる整流器に残球排出誘導路と残球排出口を配設して、整流器の既知の姿勢変化を利用することによって残球を排出可能とするものであるから、単純な構成によって低廉に実現できるという利点がある。特に、かかる構成では、残球排出誘導路や残球排出口はケース体の外殻と一体的に形成可能であり、また、残球排出口を開閉する機構も不要であるため、部品点数を増やすことなく実現できる。
【００１６】
また、本発明によれば、整流器を前方回動させた際に、ケース体の内部に溜まった塵埃が残球排出誘導路および残球排出口を介して排出されるため、整流器を分解清掃する頻度も減少できる。
【００１７】
また、整流器を通常位置から前上方に回動させた時に残球排出口から排出される遊技球が余剰球貯留皿に落下するようにした場合には、残球排出口から排出される残球を手で受け止める手間を省くことができる。また、手で受け止める場合に比べて、残球が床面に落下する恐れも少ない。
【発明を実施するための最良の形態】
【００１８】
本発明の実施形態を、以下の実施例に従って説明する。
【００１９】
図１〜３は、本発明に係るパチンコ機１の斜視図及び正面図である。このパチンコ機１は、遊技島設備に固定される木製の外枠２と、該外枠２にヒンジ部材３を介して開閉可能に取り付けられる前枠４とからなる。
【００２０】
前枠４は、遊技盤９が固定され、ヒンジ部材３を介して外枠２に直接枢支される矩形の内枠５と、発射用の遊技球を貯留する発射球貯留皿１０を前面に備え、該内枠５の前面に開閉可能に取り付けられる前扉６と、内枠５の背面側に開閉可能に取り付けられる裏機構板７等により構成される。
【００２１】
前記内枠５は、アルミダイキャスト製の枠体からなる。この内枠５には上部から中央部にかけて矩形の開口部が形成されており、該開口部に合板製の遊技盤９が取り付けられる。図１〜３に示すように、遊技盤９の前面側は前扉６によって覆われており、前方からは中央部のみが視認可能となっている。遊技盤９の前面には樹脂製のガイドレール１３が取り付けられており、該ガイドレール１３によって楕円形の遊技領域１２と、発射された遊技球を遊技領域１２に案内する案内通路２０が区画されている。遊技領域１２内には遊技釘や入賞装置、液晶装置等の遊技部品が配設される。
【００２２】
図２，３に示すように、内枠５の前面の、遊技盤９下方位置には発射装置１４が設けられている。この発射装置１４は、金属製の発射機構板１６に、遊技球を打圧発射する発射鎚１７や該発射鎚１７を駆動する発射用ソレノイド１９等を配設してなるものである（図８参照）。また、発射装置１４の前面側には、発射球貯留皿１０から流入する遊技球を発射装置１４に順次送出する整流器１５が配設される（図８参照）。発射装置１４や整流器１５は、図１〜３に示すように、通常は前扉６によって前方から覆われており、前扉６を開放することによって露出させることができる。発射装置１４と整流器１５の構成は後述する。
【００２３】
図１に示すように、内枠５の、整流器１５の下方位置には、内枠５の幅方向に亘る樹脂製の余剰球貯留皿パネル２３が前面側に設けられており、この余剰球貯留皿パネル２３の前面中央に余剰の遊技球を貯留する余剰球貯留皿１１が配設される。余剰球貯留皿パネル２３の、余剰球貯留皿１１を臨む位置には球放出口２４が開口しており、該球放出口２４から余剰球貯留皿１１に遊技球が流入する。また、余剰球貯留皿１１の底部には遊技球排出用の球抜孔２５が形成されており、余剰球貯留皿１１の底部に設けられた球抜スライダ２６を移動操作すると球抜孔２５が開放し、余剰球貯留皿１１の遊技球を下方へ排出可能となる。
【００２４】
また、余剰球貯留皿１１の右方には発射ハンドル２１が突設される。発射ハンドル２１の外周部には回動操作可能な発射レバー２２が設けられており、発射ハンドル２１の内部には、発射レバー２２の回動角度を検知する回動角度検知センサ（図示省略）が配設される。回動角度検知センサは発射装置１４や整流器１５の作動を制御する発射制御基板（図示省略）に接続される。
【００２５】
裏機構板７は、内枠５の背面側に取り付けられた樹脂製枠体であり、図１に示すように、その上部には、遊技島設備から供給される遊技球を貯留する球タンク３５が設けられており、球タンク３５の下方位置には、球タンク３５の遊技球を発射球貯留皿１０に払い出すための払出装置や球通路が配設される（図示省略）。また、裏機構板７の背面側には、遊技全般を制御する主制御基板や、前記発射制御基板等の基板が取り付けられている（図示省略）。
【００２６】
前扉６は、図２，４に示すように、矩形状の樹脂製枠体からなるものであり、その左側縁に固定されたヒンジ部材４０によって内枠５の前面側に片開き可能に枢着される。前扉６の中央部には、樹脂製の透明板３３を保持する楕円形の視認用開口部３４が形成されており、該視認用開口部３４を介して遊技盤９の遊技領域１２を前方から視認可能となっている。
【００２７】
また、図４，５に示すように、前扉６の下部前面側には樹脂製の発射球貯留皿１０が一体的に配設される。前扉６の、発射球貯留皿１０内部を臨む左側位置には、発射球貯留皿１０へ遊技球を供給するための球供給口３６が開口している。発射球貯留皿１０の内部は、前後幅の広い左側の貯留部３７と前後幅の狭い右側の整列部３８とからなり、発射球貯留皿１０の内底面は貯留部３７から整列部３８へ遊技球を流下させるように傾斜している。また、整列部３８の右端には、前扉６の厚み方向に貫通し、整列部３８から前扉６の背面側に遊技球を流出させる短尺な球流出路３９が形成される（図２，６参照）。また、発射球貯留皿１０の右上縁部には、球抜機構を作動させるための球抜操作部材４２が配設される。
【００２８】
図２，６に示すように、前扉６の背面側には、視認用開口部３４の下方部位に補強用の金属製パネル板４１が固定される。前記球流出路３９はこのパネル板４１にも貫設される。球流出路３９は、図７に示すように、前扉６の閉止状態で前記整流器１５の正面に位置しており、球流出路３９を通って発射球貯留皿１０から流出する遊技球は整流器１５へ流入することとなる。また、パネル板４１の前面側には、球抜機構を構成する球抜作動片４３や、球流出路３９を開閉する可動球止部材４４等が配設される。球抜機構については後述する。
【００２９】
次に、発射装置１４について説明する。
上述のように発射装置１４は、金属製板片からなる発射機構板１６に遊技球発射用の各種部材を組み付けてユニット化したものである。この発射機構板１６は、図２，７，８に示すように、内枠５前面の、遊技盤９の下方で且つ余剰球貯留皿１１の上方位置にビス止めされる。図８に示すように、発射機構板１６の右側背面には、ロータリーソレノイドからなる発射用ソレノイド１９が固定される。この発射用ソレノイド１９の回転軸杆は、発射機構板１６を貫通して前面側に突出しており、該回転軸杆の先端に発射鎚１７が固定される。また、発射用ソレノイド１９は前記発射制御基板と電気的に接続されており、発射制御基板は発射用ソレノイド１９の通電状態を切り替えることにより発射鎚１７を往復駆動する。一方、発射機構板１６の前面左側には金属製の発射レール１８が所定角度で左上がりに固定される。この発射レール１８は、その右端部が遊技球の打圧発射位置ｐとなるよう設定されており、該打圧発射位置ｐに対して発射鎚１７が打撃部の先端を臨ませるとともに、打圧発射位置ｐの上方には、遊技球ｘを打圧発射位置ｐに保持するゴム製の球保持部材４８が設けられる。また、発射レール１８は、左上方に前記案内通路２０の入口を臨むように設置されており、打圧発射された遊技球ｘを、発射レール１８の上面で案内して案内通路２０に飛入させるようになっている。また、発射機構板１６前面の右上部分には、発射鎚１７の回動を規制するストッパ４７が設けられる。また、発射機構板１６前面上部には、整流器１５を軸支するための軸受部材４９が螺着される。
【００３０】
次に整流器１５について説明する。
整流器１５は、透明樹脂からなる箱型のケース体５１を主体とする。図７〜１０に示すように、このケース体５１の前面中央には、発射球貯留皿１０から遊技球ｘを取り入れる矩形の球取込口５４が形成され、ケース体５１の背面下部には、発射装置１４へ遊技球ｘを送出する球送出口５５が形成される。また、ケース体５１には、遊技球を一個ずつ送り出す電動式の球送り機構が配設されており、該球送り機構の作動によって後述する球送部材５８が駆動して、球取込口５４からケース体５１内に流入した遊技球が球送出口５５からケース体５１外へ一個ずつ排出される。
【００３１】
図８，９に示すように、ケース体５１の上部中央には左右方向の支軸部５２が配設されており、該支軸部５２を発射機構板１６の前記軸受部材４９に保持されることによって、整流器１５は支軸部５２から垂下した状態から前上方に回動可能となっている。ここで、整流器１５は、支軸部５２から垂下して発射装置１４の前面を覆う回動位置を通常位置ｑとするよう設定されている。すなわち、図７，９に示すように、かかる通常位置ｑでは、発射装置１４の打圧発射位置ｐを直前方から球送出口５５が臨むことによって、球送出口５５から排出される遊技球ｘが打圧発射位置ｐに送出される。また、図７に示すように、通常位置ｑでは、球取込口５４が前記球流出路３９と接続することによって、発射球貯留皿１０から流出する遊技球ｘが球取込口５４に流入することとなる。
【００３２】
ケース体５１の底部には、後方に突出する係合端部７１と前方に突出する操作端部７２とからなる可撓性の係合部材６６が一体的に形成されており、係合部材６６の係合端部７１が発射機構板１６の下縁と係合することによって整流器１５は通常位置ｑに係止される。係合端部７１と発射機構板１６との係合は操作端部７２の押し上げ操作によって解除可能となっており、図９に示すように、前扉６を開放した状態において係合部材６６と発射機構板１６の係合を解除すると整流器１５が前上方に回動可能となり、整流器１５を発射装置１４の前上方に退避させることによって発射装置１４の前面を露出させることができる。
【００３３】
ケース体５１の前面には、図１０に示すように、球取込口５４の外縁部に前後方向の短尺な連絡樋６４が固着される。この連絡樋６４は、図７に示すように、前扉６の閉止状態で前記球流出路３９と連通し、発射球貯留皿１０から流出する遊技球ｘを球取込口５４へ案内する。また、図１０に示すように、ケース体５１前面側には、球取込口５４の下方位置に横長溝状の突部通過開口６５が形成されており、ケース体５１に内蔵された球抜口開閉片７０の受圧用突部７４が突部通過開口６５を貫通して前方に突出している。また、球取込口５４の右方には可動球止部材４４（図６参照）を上方に押し上げる三角板状の押圧保持部材６７が配設されており、連絡樋６４の左方には、連絡樋６４と前記球流出路３９との位置決めに用いる円錐状の位置決め突起６８が配設される。さらに、位置決め突起６８の直下位置には、球抜口開閉片７０に形成される案内用突部７６を内嵌させて球抜口開閉片７０を左右に移動可能とする横長溝状の案内溝５３が貫設される（図１３参照）。
【００３４】
ケース体５１の内部には、図１１に示すように、前記球取込口５４と球送出口５５とを連通させる球供給通路５６が形成されており、球取込口５４から流入した遊技球ｘは球送出口５５へと案内される。ここで、球供給通路５６の球送出口５５直前部分には、球供給通路５６を閉塞するように球送部材５８が配設されており、球供給通路５６内の遊技球ｘは、該球送部材５８によって球送出口５５への流出を規制される。
【００３５】
ケース体５１に配設される電動式の球送り機構は、図１１に示すように、傾動可能な前記球送部材５８と、該球送部材５８を駆動させる球送用ソレノイド５９と、球送用ソレノイド５９の可動部７５と球送部材５８とを連繋するリンク部材５７とで構成される。  図１１，１２に示すように、球送部材５８は、遊技球一個を収容可能な収容凹部６０を有するとともに、ケース体５１の下部に軸支されて、収容凹部６０を球送出口５５側に向ける第一位置（図１１（ａ），１２（ａ）参照）と、収容凹部６０を球供給通路５６の上流側に向ける第二位置（図１１（ｂ），１２（ｂ）参照）とに傾動可能となっており、球送用ソレノイド５９の通電状態に応じていずれかの位置に保持されるようになっている。球送用ソレノイド５９は前記発射制御基板と電気的に接続されており、発射制御基板が球送用ソレノイド５９の通電状態を切り替えて球送部材５８を傾動させると、遊技球ｘが球送出口５５に送出される。
【００３６】
具体的には、球送用ソレノイド５９の非通電状態で、球送部材５８は第一位置に保持されており、球供給通路５６の遊技球ｘは球送部材５８の上端部によって球送出口５５への流出不能に阻止される（図１１（ａ），１２（ａ）参照）。一方、球送用ソレノイド５９が通電状態となって球送部材５８が第二位置に変換すると、球供給通路５６の遊技球ｘが収容凹部６０に一個収容される（図１１（ｂ），１２（ｂ）参照）。そして、球送用ソレノイド５９が非通電状態に切り換わると、球送部材５８が第一位置に復帰して、収容凹部６０に収容された遊技球ｘが球送出口５５から打圧発射位置ｐに送出され、球供給通路５６の残りの遊技球ｘは球送部材５８の上端部によって流出不能に阻止される（図１２（ｃ）参照）。発射制御基板は、発射レバー２２が回動操作されると、発射レバー２２の回動角度情報に基づいて球送用ソレノイド５９と発射用ソレノイド１９を協調的に作動させて、遊技球ｘの打圧発射に合わせて打圧発射位置ｐに遊技球ｘを供給する。
【００３７】
次に、発射用の遊技球を余剰球貯留皿に排出するための球抜機構について説明する。
本実施例に係る球抜機構は、ケース体５１の内部から余剰球貯留皿１１へ遊技球を流下させる通路と、球抜操作部材４２の操作に応じて該通路の入口（球抜口６１）を開閉する開閉機構とからなる。
【００３８】
図１１に示すように、ケース体５１内部の球供給通路５６は、球取込口５４から直下に進んだ後、右方に折れ曲がり、さらに直下方に折れ曲がった後で球送出口５５と連通している。遊技球排出用の球抜口６１は、この球供給通路５６の右方に折れ曲がる部分の底面に開口している。ケース体５１の内部には、球抜口６１からケース体５１の背面左隅に形成された球抜用連通口６３へ遊技球ｘを流下させる球抜通路６２が形成される。また、図１８に示すように、内枠５には、球抜用連通口６３から余剰球貯留皿１１へ遊技球ｘを流下させる排出球誘導路４５が設けられている。かかる構成によって、球抜口６１に流入した遊技球ｘが余剰球貯留皿１１に排出される。
【００３９】
球抜口６１を開閉する開閉機構は、球抜口６１を閉塞する閉鎖位置αと開放する球抜位置βとに移動可能となるようにケース体５１内部に配設されて、閉鎖位置αに付勢される球抜口開閉片７０（図１４参照）と、前扉６に移動可能に配設されて、球抜操作部材４２の操作に連動して球抜口開閉片７０を押圧し、球抜口開閉片７０を球抜位置βとする球抜作動片４３と、球抜操作部材４２と球抜作動片４３を連繋する連繋部材８０等（図１５参照）によって構成される。
【００４０】
球抜口開閉片７０は、図１０，１３，１４に示すように、球抜口６１を遮蔽する板状の遮蔽部７３を備える樹脂片であり、前方に突出する受圧用突部７４と案内用突部７６を、ケース体５１前面の突部通過開口６５と案内溝５３に夫々嵌合させることによって、ケース体５１の内部で球抜口６１を閉塞する閉鎖位置αと、開放する球抜位置βとに移動可能に保持される。また、図１３，１４に示すように、球抜口開閉片７０は、左方に突設されたコイルバネ装着部８８に取り付けられたコイルバネ６９によって通常は右側の閉鎖位置αに付勢保持されており、コイルバネ６９の付勢力に抗して受圧用突部７４を左方に押圧されることによって球抜位置βに変位する。
【００４１】
球抜作動片４３は、図１３，１５に示すように、樹脂製板片からなるものであり、前扉６内で左右に摺動可能に保持される摺動板部７７と、前記受圧用突部７４を押圧する押圧用凹部８３を左端に備え、該摺動板部７７の左方に突出する押圧腕部７８とからなる。この球抜作動片４３は、図６，１５に示すように、摺動板部７７をパネル板４１の前面側で摺動可能に保持されるとともに、パネル板４１の開口部９０から押圧腕部７８を露出させている。これにより、球抜作動片４３は、摺動板部７７の摺動に伴って、押圧用凹部８３が球抜口開閉片７０を押圧して球抜位置βとする作動位置ζと、押圧用凹部８３が球抜口開閉片７０を押圧しない定常位置εとに移動可能となっている（図１５参照）。また、図１３に示すように、摺動板部７７の前面側には、連繋部材８０と連結するための連結軸７９が形成される。
【００４２】
図１５，１６は、前扉６に配設された球抜作動片４３や球抜操作部材４２の配置および連繋態様を背面側から示したものである。球抜操作部材４２は、図１５に示すように、ボタン型の樹脂片であり、図中右下部を軸支されて、発射球貯留皿１０の右上方に露出する上端部を押圧されると下方傾動するようになっている。また、図１５に示すように、前扉６のパネル板４１（図６参照）の前面側には、金属板からなる取付機構板４６が配設される。この該取付機構板４６の板面には、連繋部材８０や可動球止部材４４等が取り付けられている。連繋部材８０は、図１５に示すように、長三角形状の樹脂製板片からなるものであり、球抜操作部材４２の直下位置において、短尺辺を上方に向けた姿勢で図中右上角部を軸支されて、その下端部を取付機構板４６に沿って左右に傾動するように保持される。連繋部材８０の図中左側部にはコイルバネ８２の一端が連結される。連繋部材８０は、かかるコイルバネ８２によって図中左方に付勢されて、その短尺片を球抜操作部材４２の下底面に当接させている。かかる構成によれば、球抜操作部材４２がコイルバネ８２の付勢力に抗して押し下げられると、図１５（ｂ）に示すように、連繋部材８０の下端部が図中右方向に傾動し、球抜操作部材４２の押下げが解除されると、コイルバネ８２の付勢力にしたがって連繋部材８０の下端部が図中左方に復帰して、押し下げられた球抜操作部材４２は連繋部材８０によって上方に押し上げられることとなる。
【００４３】
連繋部材８０の下端部には前後方向の連結孔部８１が形成されており、連繋部材８０は、該連結孔部８１を球抜作動片４３の連結軸７９に外嵌させることによって、球抜作動片４３と連繋している。球抜作動片４３は、図１５（ａ）に示すように、球抜操作部材４２の非操作状態において定常位置εに位置しており、図１５（ｂ）に示すように、球抜操作部材４２が押し下げられると、連繋部材８０の傾動に従動して作動位置ζへと変位することとなる。
【００４４】
可動球止部材４４は、横長樹脂片からなるものであり、図１６に示すように、球流出路３９の上方で取付機構板４６に図中右端部を軸支されて、左端を水平方向に向けて中央下部に形成される球止舌部８４によって球流出路３９を後方から閉塞する球止位置γと、図中左端を上方寄りに向けて球止舌部８４を球流出路３９の上方に退避させる開放位置δとに変位可能となっている。図１６に示すように、可動球止部材４４は、左側部に取り付けられたコイルバネ８５によって開放位置δに付勢されている。また、可動球止部材４４の図中左端部には、整流器１５の押圧保持部材６７と当接する受圧部８６が図中左方に突成される。図１６（ａ）に示すように、前扉６の閉止状態では可動球止部材４４は受圧部８６を押圧保持部材６７によって押し上げられることにより開放位置δに保持される。また、可動球止部材４４の右端下部には球抜作動片４３を規制するストッパ部８７が下方に突成される。可動球止部材４４は、図１６（ｂ）に示すように、前扉６の開放状態では、球止位置γにおいて、定常位置εにある球抜作動片４３の直右脇にストッパ部８７を位置させることにより、球抜作動片４３の作動位置ζ方向（図中右方）への移動を阻止する働きをする。
【００４５】
次に、球抜機構による遊技球の排出態様について具体的に説明する。
前扉６の閉止状態では、図１７（ａ）に示すように、球抜作動片４３の押圧用凹部８３が球抜口開閉片７０の受圧用突部７４の右脇に位置している。上述のように、球抜操作部材４２の非操作時は球抜作動片４３が定常位置εに保持されており、図１４（ａ）に示すように、球抜口開閉片７０はコイルバネ６９によって閉鎖位置αに付勢保持される。このため、かかる状態で発射レバー２２が回動操作されると、整流器１５の球送り機構によって遊技球が一個ずつ打圧発射位置ｐに送出されて遊技領域１２へ打圧発射される。
【００４６】
また、前扉６の閉止状態で球抜操作部材４２が押し下げ操作されると、図１４（ｂ），１７（ｂ）に示すように、球抜作動片４３が左方の作動位置ζへと変位し、球抜口開閉片７０が球抜位置βへと押圧されて球抜口６１が開放される。これにより、ケース体５１内の遊技球ｘは球抜口６１から球抜通路６２へ流出し、図１８に示すように、球放出口２４から余剰球貯留皿１１に排出される。また、かかる状態では球流出路３９が開放されているため、発射球貯留皿１０の遊技球ｘが順次整流器１５に流入して余剰球貯留皿１１へ排出されることとなる。ここで、図１４（ｂ）に示すように、球送部材５８の直上位置にある遊技球ｘ’は、球抜口６１が開放されても球抜口６１には流入せず、球送部材５８の上に留まることとなる。すなわち、このように球抜機構が作動してもケース体５１から排出されない遊技球が残球ｘ’であり、かかる残球ｘ’が留まる球送部材５８の直上位置が本発明に係る残球滞留部２７である。
【００４７】
球抜操作部材４２の操作が停止すると連繋部材８０に結合したコイルバネ８２の付勢力によって球抜作動片４３が定常位置εに復帰するとともに、球抜口開閉片７０が閉鎖位置αに復帰して球抜口６１が閉塞状態となる。
【００４８】
次に、前扉６の開閉に伴う作動を説明する。
閉止状態の前扉６を開放すると、図２，１７（ｃ）に示すように、整流器１５の前面が露出して、整流器１５を前上方に回動可能となる。また、球抜作動片４３と球抜口開閉片７０とが離間して、球抜口開閉片７０は、受圧用突部７４を直接操作されない限り閉鎖位置αに付勢保持される。また、図１６に示すように、押圧保持部材６７によって開放位置δに押し上げられていた可動球止部材４４は、押圧保持部材６７の離間に伴い球止位置γに傾動し、球流出路３９を閉塞する。これにより、前扉６の開放状態において発射球貯留皿１０からの遊技球の流出が阻止される。また、図１６（ｂ）に示すように、可動球止部材４４は、球抜作動片４３の作動位置ζへの変位を阻止する。このため、前扉６の開放状態では、球抜操作部材４２を押下げ操作しても球抜作動片４３は定常位置εに押し留められる。
【００４９】
開放状態の前扉６を閉止すると、図１７（ａ）に示すように、球抜口開閉片７０と球抜作動片４３とが接近して、球抜作動片４３によって球抜口開閉片７０を押圧可能となる。上述のように、前扉６の開放状態において球抜作動片４３は定常位置εに保持されるため、前扉６が閉止する際に受圧用突部７４と押圧用凹部８３が衝突することはない。また、可動球止部材４４が押圧保持部材６７によって開放位置δに押し上げられ、球流出路３９が開放される。
【００５０】
以下に、本発明の要部に係る、ケース体５１から残球ｘ’を排出するための構成について説明する。
上述したように、本実施例に係る整流器１５では、球送部材５８の直上位置が残球滞留部２７となっている。そして、図１９に示すように、ケース体５１の内部には、残球滞留部２７から上方に向けて残球排出誘導路２９が形成されている。この残球排出誘導路２９は、残球滞留部２７から直上方に伸びた後、左上方に折れ曲がり、ケース体５１背面の左上部に開口する矩形の残球排出口２８に連通する。なお、この残球排出誘導路２９は、透明樹脂材によってケース体５１の外殻と一体的に成形されている。
【００５１】
次に残球ｘ’の排出態様を説明する。
整流器１５の通常位置ｑでは、残球排出誘導路２９が残球滞留部２７側へ下っているため、図１９（ａ）に示すように、残球ｘ’は残球排出誘導路２９に流入することなく、残球滞留部２７に留まることとなる。
【００５２】
ケース体５１から残球ｘ’を排出する場合には、整流器１５を通常位置ｑから前上方に９０°より大きく回動操作を行う。かかる回動操作によれば、図２０に示すように、整流器１５の上下が通常位置ｑとは逆になり、残球排出誘導路２９が残球滞留部２７から残球排出口２８へと下り傾斜することとなる。すなわち、通常位置ｑにおける残球排出誘導路２９の奥側壁部が、回動操作に伴って、残球滞留部２７から残球排出口２８へと下り傾斜する残球排出誘導路２９の床部として機能を変換するものである。これにより、図１９（ｂ），２０に示すように、残球滞留部２７の残球ｘ’が残球排出誘導路２９を残球排出口２８方向に流れ下り、残球排出口２８からケース体５１の背面側に排出される。
【００５３】
ここで、図２１に示すように、本実施例では、整流器１５を通常位置ｑから前上方に回動した状態で、残球排出口２８が余剰球貯留皿１１の上方に位置するように設定されている。このため、図１９に示すように、整流器１５の回動に伴い残球排出口２８から排出された残球ｘ’は、余剰球貯留皿１１に落下して貯留されることとなる。
【００５４】
以上のように、本実施例のパチンコ機では、整流器１５を通常位置ｑから前上方に９０°より大きく回動させることによって、ケース体５１内部の残球ｘ’を整流器１５外に排出することができる。このため、整流器１５のメンテナンスの際に、作業者は、残球が作業の邪魔をすることを簡単な操作によって防止できる。
【００５５】
また、本実施例に係る残球の排出機構は、整流器が前上方に回動可能に配設される従来構成に対して、ケース体の内部に残球排出誘導路を一体的に形成し、ケース体背面に残球排出口を形成するだけで実現できる。したがって、本実施例のパチンコ機では、かかる従来構成と比較して、部品点数を増加させることなく、単純な構成によって残球を排出できるという利点がある。
【００５６】
また、本実施例では、残球排出口２８から排出された遊技球が余剰球貯留皿１１に落下するため、排出される遊技球を手で受け止める手間を省くことができ、また、排出される遊技球を不用意に床面に落とす怖れもない。
【００５７】
尚、本発明のパチンコ機は、上述した実施の形態に限定されるものではなく、本発明の要旨を逸脱しない範囲内において種々変更を加え得ることは勿論である。例えば、上記実施例では、整流器が発射機構板に軸支されていたが、整流器は内枠に直接軸支してもよい。また、実施例では、残球排出誘導路と球供給通路とがケース体内部で略別々の通路として形成されていたが、二つの通路は多くの部分を共通させてもよい。また、実施例では、球抜機構によって排出されない残球が一個だけであったが、本発明は残球が二個以上である構成にも同様にして適用可能である。また、上記実施例では視認用開口部が前扉に設けられているが、視認用開口部は発射球貯留皿を備える前扉とは別部材によって構成してもかまわない。また、実施例では、発射レールが発射機構板の前面に配設されていたが、発射レールは整流器の背面に固定することもできる。
【図面の簡単な説明】
【００５８】
【図１】前扉６の閉止状態におけるパチンコ機１の斜視図である。
【図２】前扉６の開放状態におけるパチンコ機１の斜視図である。
【図３】パチンコ機１の正面図である。
【図４】前扉６の正面図である。
【図５】図４中のＡ−Ａ断面図である。
【図６】前扉６の下部の背面図である。
【図７】パチンコ機１の下部を縦断して内部構造を簡略的に示す右側面図である。
【図８】発射装置１４及び整流器１５を分離して示す斜視図である。
【図９】発射装置１４及び整流器１５の右側面図である。
【図１０】整流器１５及び球抜作動片４３の斜視図である。
【図１１】ケース体５１を縦断して整流器１５の内部を示す正面図であり、（ａ）は球送部材５８が第一位置にある状態を示し、（ｂ）は球送部材５８が第二位置にある状態を示す。
【図１２】整流器１５の作動を簡略的に示す右側断面図である。
【図１３】球抜作動片４３及び球抜口開閉片７０の斜視図である。
【図１４】ケース体５１を縦断して整流器１５の内部を示す正面図であり、（ａ）は球抜口開閉片７０が閉鎖位置αにある状態を示し、（ｂ）は球抜口開閉片７０が球抜位置βにある状態を示す。
【図１５】球抜操作部材４２と球抜作動片４３の連繋態様を示す説明図である。
【図１６】可動球止部材４４の作動を示す説明図である。
【図１７】外枠２や前扉６等を透視して、球抜作動片４３と球抜口開閉片７０の配置関係を上方から示す説明図である。
【図１８】パチンコ機１の下部を縦断して球抜機構の作動を簡略的に示す右側面図である。
【図１９】ケース体５１を縦断して整流器１５の内部を示す正面図であり、（ａ）は整流器１５が通常位置ｑにある状態を示し、（ｂ）は整流器１５が通常位置ｑから９０°以上前上方に回動した状態を示す。
【図２０】残球ｘ’の排出態様を簡略的に示す発射装置１４及び整流器１５の右側断面図である。
【図２１】余剰球貯留皿１１と整流器１５の配置関係を示す平面図である。
【符号の説明】
【００５９】
１  パチンコ機
５  内枠
６  前扉
９  遊技盤
１０  発射球貯留皿
１１  余剰球貯留皿
１４  発射装置
１５  整流器
１７  発射鎚
２７  残球滞留部
２８  残球排出口
２９  残球排出誘導路
５１  ケース体
５４  球取込口
５５  球送出口
５８  球送部材
ｐ  打圧発射位置
ｑ  通常位置
ｘ  遊技球
ｘ’  残球
【図１】
2007275493.tif 000003
【図２】
2007275493.tif 000004
【図３】
2007275493.tif 000005
【図４】
2007275493.tif 000006
【図５】
2007275493.tif 000007
【図６】
2007275493.tif 000008
【図７】
2007275493.tif 000009
【図８】
2007275493.tif 000010
【図９】
2007275493.tif 000011
【図１０】
2007275493.tif 000012
【図１１】
2007275493.tif 000013
【図１２】
2007275493.tif 000014
【図１３】
2007275493.tif 000015
【図１４】
2007275493.tif 000016
【図１５】
2007275493.tif 000017
【図１６】
2007275493.tif 000018
【図１７】
2007275493.tif 000019
【図１８】
2007275493.tif 000020
【図１９】
2007275493.tif 000021
【図２０】
2007275493.tif 000022
【図２１】
2007275493.tif 000023